(57)【要約】【課題】高軟性のテープに蛍光フィルムが付着されるとかそのテープに付着された蛍光フィルムが小さな場合であっても蛍光フィルムをテープから易しく分離することができるＬＥＤチップ用蛍光フィルムピックアップ装置を提供する。【解決手段】蛍光フィルムが付着されたテープの下面を吸着するように吸着孔が形成された支持胴体；支持胴体に吸着されたテープの下面に接触する接触ピンを備え、蛍光フィルムが接着されたテープの下面を接触ピンが掻くことで、蛍光フィルムをテープから分離させることができるように支持胴体に水平方向にスライド可能に設置されるスクレイパー；スクレイパーを支持胴体に対して水平方向に移動させる作動部材；及び、支持胴体の上側に配置され、スクレイパーの接触ピンによってテープから分離される蛍光フィルムを吸着して上昇させることによって蛍光フィルムを剥離するピックアップヘッド；を含む。【選択図】図２
2015041777.tif 000002
【特許請求の範囲】
【請求項１】
テープに付着された蛍光フィルムをテープから剥離するＬＥＤチップ用蛍光フィルムピックアップ装置において、
前記蛍光フィルムが付着されたテープの下面を吸着するように吸着孔が形成された支持胴体；
前記支持胴体に吸着されたテープの下面に接触する接触ピンを備え、前記蛍光フィルムが接着されたテープの下面を前記接触ピンが掻くことで、前記蛍光フィルムを前記テープから分離させることができるように前記支持胴体に水平方向にスライド可能に設置されるスクレイパー；
前記スクレイパーを前記支持胴体に対して水平方向に移動させる作動部材；及び
前記支持胴体の上側に配置され、前記スクレイパーの接触ピンによって前記テープから分離される前記蛍光フィルムを吸着して上昇させることによって前記蛍光フィルムを剥離するピックアップヘッド；
を含むことを特徴とする、ＬＥＤチップ用蛍光フィルムピックアップ装置。
【請求項２】
前記作動部材は、前記スクレイパーを前記支持胴体に対して水平な一方向に押圧して移動させるプッシュ部材と、前記プッシュ部材によって一方向に移動した前記スクレイパーを反対側方向に復帰させる弾性部材とを含むことを特徴とする、請求項１に記載のＬＥＤチップ用蛍光フィルムピックアップ装置。
【請求項３】
前記作動部材のプッシュ部材は、垂直方向に傾くように形成された第１傾斜面を備え、上下に昇降作動し、
前記スクレイパーは、前記プッシュ部材の第１傾斜面に接触するように前記支持胴体に設置され、前記第１傾斜面に対して滑りながら水平に移動することを特徴とする、請求項２に記載のＬＥＤチップ用蛍光フィルムピックアップ装置。
【請求項４】
前記スクレイパーは、前記プッシュ部材の第１傾斜面に接触し、前記第１傾斜面に対して滑るように形成された第２傾斜面を含むことを特徴とする、請求項３に記載のＬＥＤチップ用蛍光フィルムピックアップ装置。
【請求項５】
前記弾性部材は前記スクレイパーと支持胴体との間に設置され、前記プッシュ部材が上昇すれば弾性的に圧縮され、前記プッシュ部材が下降すれば弾性的に復元しながら前記スクレイパーを水平に移動させることを特徴とする、請求項２〜４のいずれか一項に記載のＬＥＤチップ用蛍光フィルムピックアップ装置。
【請求項６】
前記スクレイパーの接触ピンの上端は周囲の前記支持胴体の上面より高く突出することを特徴とする、請求項１〜４のいずれか一項に記載のＬＥＤチップ用蛍光フィルムピックアップ装置。
【請求項７】
前記支持胴体の上面は、前記蛍光フィルムが付着されたテープの前記蛍光フィルムの周縁部を支持する外径部と、前記外径部より低く形成され、前記蛍光フィルムが付着されたテープの部分を吸着する陷沒部とを含み、
前記スクレイパーの接触ピンは前記支持胴体の陷沒部から突出するように形成されることを特徴とする、請求項６に記載のＬＥＤチップ用蛍光フィルムピックアップ装置。
【請求項８】
前記ピックアップヘッドが前記テープに付着された蛍光フィルムの近くに下降した状態で前記スクレイパーの接触ピンが前記蛍光フィルムの付着された位置の前記テープの下面に対して水平に移動しながら前記蛍光フィルムを前記テープから分離させて前記ピックアップヘッドに伝達することを特徴とする、請求項１〜４のいずれか一項に記載のＬＥＤチップ用蛍光フィルムピックアップ装置。
【請求項９】
前記ピックアップヘッドは、真空が伝達される吸着経路が形成されたコレットと、前記コレットの端部に設置され、前記吸着経路から真空を受けて前記蛍光フィルムを吸着するように多孔性材からなった吸着プラグとを含むことを特徴とする、請求項１に記載のＬＥＤチップ用蛍光フィルムピックアップ装置。
【発明の詳細な説明】
【技術分野】
【０００１】
本発明はＬＥＤチップ用蛍光フィルムピックアップ装置に係り、より詳しくはテープに付着された多数の蛍光フィルムを分離してパッケージや基板に実装するために供給するＬＥＤチップ用蛍光フィルムピックアップ装置に関する。
【背景技術】
【０００２】
一般に、接着力を有するテープに蛍光フィルムが付着された状態で個々の蛍光フィルムに切断（ｓａｗｉｎｇ）され、テープと一緒に次の工程に伝達される。
【０００３】
図１に示すように、テープＴに付着された状態の多数の蛍光フィルムＰは順次にテープＴから一枚ずつ分離されてＬＥＤチップに付着される。このように、蛍光フィルムＦをＬＥＤチップに付着することにより、白色光を発光するＬＥＤ素子を製造することができる。蛍光物質粉末が混合された液状合成樹脂をＬＥＤチップに塗布してＬＥＤ素子を製造する方法に比べ、蛍光フィルムＦをＬＥＤチップに付着する方法は蛍光体の厚さをより正確に調節することができる利点がある。
【発明の概要】
【発明が解決しようとする課題】
【０００４】
近年には、ＬＥＤチップが小型化するにつれてＬＥＤチップに付着される蛍光フィルムＦ）のサイズも非常に小さくなり、蛍光フィルムの素材も高軟性のものが多い。
【０００５】
このように、小さくて軟性の高い蛍光フィルムＦをＬＥＤチップに付着するために、テープＴから蛍光フィルムを効果的に分離することができる装置が必要になった。
【０００６】
本発明は前述したような必要性を満たすためになされたもので、高軟性のテープに蛍光フィルムが付着されるとかそのテープに付着された蛍光フィルムが小さな場合であっても蛍光フィルムをテープから易しく分離することができる構造を持つＬＥＤチップ用蛍光フィルムピックアップ装置を提供することを目的とする。
【課題を解決するための手段】
【０００７】
前述したような目的を解決するための本発明のＬＥＤチップ用蛍光フィルムピックアップ装置は、テープに付着された蛍光フィルムをテープから剥離するＬＥＤチップ用蛍光フィルムピックアップ装置であって、前記蛍光フィルムが付着されたテープの下面を吸着するように吸着孔が形成された支持胴体；前記支持胴体に吸着されたテープの下面に接触する接触ピンを備え、前記蛍光フィルムが接着されたテープの下面を前記接触ピンが掻くことで、前記蛍光フィルムを前記テープから分離させることができるように前記支持胴体に水平方向にスライド可能に設置されるスクレイパー；前記スクレイパーを前記支持胴体に対して水平方向に移動させる作動部材；及び前記支持胴体の上側に配置され、前記スクレイパーの接触ピンによって前記テープから分離される前記蛍光フィルムを吸着して上昇させることによって前記蛍光フィルムを剥離するピックアップヘッド；を含むことを特徴とする。
【発明の効果】
【０００８】
前述した目的を達成するための本発明のＬＥＤチップ用蛍光フィルムピックアップ装置は、小さなサイズの蛍光フィルムも破損させないでテープから分離して剥離することができる効果がある。
【０００９】
また、本発明のＬＥＤチップ用蛍光フィルムピックアップ装置は、軟性が高くて厚さの薄いテープに付着された蛍光フィルムも効果的にテープから分離することができる効果がある。
【図面の簡単な説明】
【００１０】
【図１】蛍光フィルムがテープに付着された状態を示す断面図である。
【図２】本発明の一実施例によるＬＥＤチップ用蛍光フィルムピックアップ装置を説明する断面図である。
【図３】本発明の一実施例によるＬＥＤチップ用蛍光フィルムピックアップ装置を説明する断面図である。
【図４】本発明の一実施例によるＬＥＤチップ用蛍光フィルムピックアップ装置を説明する断面図である。
【図５】本発明の一実施例によるＬＥＤチップ用蛍光フィルムピックアップ装置を説明する断面図である。
【発明を実施するための形態】
【００１１】
以下、本発明の実施例によるＬＥＤチップ用蛍光フィルムピックアップ装置を添付図面に基づいて詳細に説明する。
【００１２】
図２〜図５は本発明の一実施例によるＬＥＤチップ用蛍光フィルムピックアップ装置を説明する断面図である。
【００１３】
図２を参照すれば、この実施例によるＬＥＤチップ用蛍光フィルムピックアップ装置は、支持胴体１０と、スクレイパー２０と、作動部材３０と、ピックアップヘッド４０とを含んでいる。
【００１４】
支持胴体１０の上面には蛍光フィルムＰが付着されたテープＴが配置されて支持される。支持胴体１０の上面には吸着孔１１が形成され、支持胴体１０の中心部には吸着孔１１と連通する真空経路１５が形成される。吸着孔１１を通じて伝達される真空によってテープＴは支持胴体１０の上面に固定される。
【００１５】
支持胴体１０の上面外周には外径部１２が形成される。外径部１２で取り囲まれる支持胴体１０の上面部は陷沒部１３となる。陷沒部１３は外径部１２より低く形成される。外径部１２は蛍光フィルムＰが付着されたテープＴの蛍光フィルムＰの周縁部を支持し、陷沒部１３は蛍光フィルムＰが付着された部分のテープＴを吸着して支持する。
【００１６】
スクレイパー２０は接触ピン２１を備え、支持胴体１０に水平方向にスライド可能に設置される。接触ピン２１は支持胴体１０の上面陷沒部１３から突出するように設置され、テープＴの下面に接触する。スクレイパー２０が支持胴体１０に対して水平に移動すれば、接触ピン２１がテープＴの下面を掻くことで蛍光フィルムＰをテープＴから分離させる。
【００１７】
作動部材３０は支持胴体１０に設置され、スクレイパー２０を支持胴体１０に対して水平方向に移動させる。この実施例において、作動部材３０はプッシュ部材３１と弾性部材３２とを備えている。プッシュ部材３１はスクレイパー２０を支持胴体１０に対して水平方向に押圧して移動させる。弾性部材３２はプッシュ部材３１によって一方向に移動されたスクレイパー２０を反対方向に付勢して元の位置に復帰させる。
【００１８】
プッシュ部材３１には垂直方向に対して傾くように形成された第１傾斜面３１１が形成され、スクレイパー２０には第１傾斜面３１１の反対側に第１傾斜面３１１と同一角度に傾いた第２傾斜面２２が形成される。プッシュ部材３１が昇降すれば、第１傾斜面３１１に対してスクレイパー２０の第２傾斜面２２が滑ることによってスクレイパー２０が支持胴体１０に対して水平方向に移動することになる。
【００１９】
弾性部材３２はスクレイパー２０と支持胴体１０との間に設置される。プッシュ部材３１が上昇すれば、スクレイパー２０の移動によって弾性部材３２は弾性的に圧縮される。プッシュ部材３１が下降すれば、弾性部材３２は弾性的に復元しながらスクレイパー２０を元の位置に水平方向に移動させる。
【００２０】
ピックアップヘッド４０は支持胴体１０の上側に昇降可能に設置される。ピックアップヘッド４０は下降し、スクレイパー２０の接触ピン２１によってテープＴから分離される蛍光フィルムＰを吸着する。ピックアップヘッド４０は蛍光フィルムＰを吸着したままで上昇することによって蛍光フィルムＰをテープＴから剥離する。ピックアップヘッド４０は剥離した蛍光フィルムＰを基板、パッケージ、リードフレームなどに実装されたＬＥＤチップに付着してから復帰して次の蛍光フィルムＰをテープＴから剥離することになる。
【００２１】
ピックアップヘッド４０はコレット４３と吸着プラグ４１とを含んでいる。コレット４３は円筒状に形成され、その内部の吸着経路４２を通じて真空が伝達される。コレット４３の端部には吸着プラグ４１が取り付けられる。多孔性材からなった吸着プラグ４１は吸着経路４２を通じて真空を受けて蛍光フィルムＰを吸着することになる。
【００２２】
以下、前述したように構成されたＬＥＤチップ用蛍光フィルムピックアップ装置の作動について説明する。
【００２３】
図２に示すように、蛍光フィルムＰが付着されたテープＴは支持胴体１０の上面に吸着される。この際、剥離すべき蛍光フィルムＰの位置を考慮して蛍光フィルムＰを陷沒部１３の中央に配置した状態で吸着孔１１を通じて真空を伝達してテープＴを吸着する。
【００２４】
このようにテープＴが吸着された状態で、図３に示すように、ピックアップヘッド４０を下降させて蛍光フィルムＰに近い上側に配置させるとか蛍光フィルムＰの一端に接触するように配置させる。
【００２５】
図３に示すように、スクレイパー２０の接触ピン２１は陷沒部１３から突出するように形成されているので、蛍光フィルムＰの一側を押し上げるようにテープＴに接触することになる。
【００２６】
このような状態で、図４に示すように、プッシュ部材３１を上昇させれば、第１傾斜面３１１と第２傾斜面２２の相互作用によってスクレイパー２０は右側に移動することになる。この際、弾性部材３２は弾性的に圧縮される。
【００２７】
スクレイパー２０が右側に移動するにつれて接触ピンが蛍光フィルムＰの下側のテープＴを掻きながら移動することになる。接触ピン２１の作用によって蛍光フィルムＰがテープＴの接着面から分離され、ピックアップヘッド４０の吸着プラグ４１に作用する真空によって蛍光フィルムＰはピックアップヘッド４０に吸着される。一方、蛍光フィルムＰから分離されたテープＴは支持胴体１０の吸着孔１１を通じて伝達される真空によって陷沒部１３の上面に吸着される。
【００２８】
図５に示すように、ピックアップヘッド４０は蛍光フィルムＰを吸着したままで上昇し、その蛍光フィルムＰを接合するための後工程に蛍光フィルムＰを伝達する。プッシュ部材３１が下降すれば、弾性部材３２は弾性的に復元しながらスクレイパー２０を左側に押圧して次の蛍光フィルムＰを分離するための位置に移動させる。
【００２９】
場合によっては、プッシュ部材３１を下降させるのに先立ち、支持胴体１０の真空を解除した後、テープＴを次の蛍光フィルムＰを剥離するための位置に移動させ、テープＴを吸着した状態でプッシュ部材３１を下降させることもできる。この場合、弾性部材３２の作用によってスクレイパー２０が左側に移動しながら蛍光フィルムＰが付着された位置のテープＴを掻くことになる。自然に蛍光フィルムＰがテープＴから分離され、ピックアップヘッド４０が蛍光フィルムＰを受けることになる。
【００３０】
以上、本発明の好適な実施例を例として説明したが、本発明の範囲が前述した図示の形態に限定されるものではない。
【００３１】
例えば、前記実施例においては、作動部材３０がプッシュ部材３１と弾性部材３２とからなる場合を例として説明したが、これとは異なる構造を持つ作動部材を使うことも可能である。すなわち、スクレイパーを支持胴体に対して水平方向に往復動させることができる構成であればどんな構成であっても作動部材として使うことができる。例えば、スクレイパーに連結された空圧アクチュエーターが作動部材として使うことも可能である。
【００３２】
また、前記実施例において、支持胴体１０の上面は外径部１２と陷沒部１３とからなるものとして説明したが、このように高低差を置かなくて平面の構造になった支持胴体を構成することも可能である。
【００３３】
また、前記実施例において、ピックアップヘッド４０は多孔性材の吸着プラグ４１を備えているものとして説明したが、このような吸着プラグを備えていないピックアップヘッドを使うことも可能である。すなわち、ピックアップヘッドに吸着経路が下面に露出するように構成し、ピックアップヘッドの下面に蛍光フィルムが吸着されるように構成して使うこともできる。
【産業上の利用可能性】
【００３４】
本発明は、高軟性のテープに蛍光フィルムが付着されるとかそのテープに付着された蛍光フィルムが小さな場合であっても蛍光フィルムをテープから易しく分離することができるＬＥＤチップ用蛍光フィルムピックアップ装置に適用可能である。
【符号の説明】
【００３５】
１０    支持胴体
１１    吸着孔
１２    外径部
１３    陷沒部
１５    真空経路
２０    スクレイパー
２１    接触ピン
２２    第２傾斜面
３０    作動部材
３１    プッシュ部材
３１１    第１傾斜面
３２    弾性部材
４０    ピックアップヘッド
４３    コレット
４１    吸着プラグ
４２    吸着経路
Ｔ    テープ
Ｐ    蛍光フィルム。
【図１】
2015041777.tif 000003
【図２】
2015041777.tif 000004
【図３】
2015041777.tif 000005
【図４】
2015041777.tif 000006
【図５】
2015041777.tif 000007